(57)【要約】  ワイヤレス受電装置２は、略同一平面上に配置されるシート状の受電装置側アクティブ電極４１Ａ及び受電装置側パッシブ電極４１Ｐと、両電極４１Ａ、４１Ｐと同一平面に配置され、各電極４１Ａ、４１Ｐから引き出されるシート状の引き出し線４５Ａ、４５Ｐと、両電極４１Ａ、４１Ｐ及び両引き出し線４５Ａ、４５Ｐの両面を被覆する絶縁体シート５０と、を備えたシート状の電極シート部２Ａと、各引き出し線４５Ａ、４５Ｐの端部間に誘起される交流電圧を降圧させる降圧部４３と、降圧部４３によって降圧された交流電圧を整流及び平滑する受電モジュール４４と、受電モジュール４４の出力電圧を出力するためのコネクタ４６と、を備えた受電部２Ｂと、を含む。
2014061321.tif 000002
【特許請求の範囲】
【請求項１】
略同一平面上に配置されるシート状のアクティブ電極及びパッシブ電極と、
前記両電極と同一平面に配置され、前記各電極から引き出されるシート状の引き出し線と、
前記両電極及び前記両引き出し線の両面を被覆する絶縁体シートと、
を備えたシート状の電極シート部と、
前記各引き出し線の端部間に誘起される交流電圧を降圧させる降圧部と、
前記降圧部によって降圧された交流電圧を整流及び平滑する整流平滑部と、
前記整流平滑部の出力電圧を出力するためのコネクタと、
を備えた受電部と、
を含むワイヤレス受電装置。
【請求項２】
前記絶縁体シートは、前記両電極及び前記両引き出し線の一方の面を被覆する第１の絶縁体シートと、前記両電極及び前記両引き出し線の他方の面を被覆する第２の絶縁体シートとで構成され、
前記第１の絶縁体シートと前記第２の絶縁体シートとのうち、取り付け対象の電子機器側に配置されることとなる絶縁体シートの厚さが、他方の絶縁体シートよりも厚い、
請求項１記載のワイヤレス受電装置。
【請求項３】
前記絶縁体シートの主面の一方にシート状の第２の電極が設けられ、
前記第２の電極における前記絶縁体シート側とは反対側の面に第２の絶縁体シートが設けられている、
請求項１に記載のワイヤレス受電装置。
【請求項４】
前記電極シート部と前記受電部とが分離可能である、
請求項１に記載のワイヤレス受電装置。
【請求項５】
前記絶縁体シートの主面の一方に接着層が設けられている、
請求項１に記載のワイヤレス受電装置。
【請求項６】
略同一平面上に配置されるシート状のアクティブ電極及びパッシブ電極と、
前記両電極と同一平面に配置され、前記各電極から引き出されるシート状の引き出し線と、
前記両電極及び前記両引き出し線の両面を被覆する絶縁体シートと、
を備えたシート状の電極シート部と、
直流電圧を所定の周波数を有する交流電圧に変換するインバータ部と、
前記インバータ部から出力される交流電圧を昇圧させて前記各引き出し線の端部に印加する昇圧部と、
を備えた送電部と、
を含むワイヤレス送電装置。
【請求項７】
前記電極シート部と前記送電部とが分離可能である、
請求項６に記載のワイヤレス送電装置。
【請求項８】
前記絶縁体シートの主面の一方に接着層が設けられている、
請求項６に記載のワイヤレス送電装置。
【請求項９】
略同一平面上に配置されるシート状のアクティブ電極及びパッシブ電極と、
前記両電極と同一平面に配置され、前記各電極から引き出されるシート状の引き出し線と、
前記両電極及び前記両引き出し線の両面を被覆する絶縁体シートと、
を備えたシート状の電極シート部と、
前記各引き出し線の端部間に誘起される交流電圧を降圧させる降圧部と、
前記降圧部によって降圧された交流電圧を整流及び平滑する整流平滑部と、
前記整流平滑部の出力電圧を出力するためのコネクタと、
を備えた受電部と、
直流電圧を所定の周波数を有する交流電圧に変換するインバータ部と、
前記インバータ部から出力される交流電圧を昇圧させて前記各引き出し線の端部に印加する昇圧部と、
を備えた送電部と、
前記各引き出し線の端部と、前記昇圧部の出力部または前記降圧部の入力部とを択一的に接続させる切替部と、
を含むワイヤレス送受電装置。
【請求項１０】
前記電極シート部と、前記受電部、前記送電部及び前記切替部とが分離可能である、
請求項９に記載のワイヤレス送受電装置。
【請求項１１】
略同一平面状に配置されるシート状のアクティブ電極及びパッシブ電極と、
前記両電極と同一平面に配置され、前記各電極から引き出されるシート状の引き出し線と、
前記両電極及び前記両引き出し線の両面を被覆する絶縁体シートと、
を備えた電極シート部と、
前記各引き出し線の端部に高圧側が接続された変圧部と、
前記変圧部によって降圧された交流電圧を整流及び平滑する整流平滑部と、
前記整流平滑部の出力電圧を出力するためのコネクタと、
を備えた受電部と、
直流電圧を所定の周波数を有する交流電圧に変換するインバータ部を備えた送電部と、
前記変圧部の低圧側と、前記送電部のインバータ部の出力または前記受電部の前記整流平滑部の入力とを選択的に接続する切替部と、
を含むワイヤレス送受電装置。
【請求項１２】
前記電極シート部と、前記受電部、前記送電部、前記切替部、及び前記変圧部とが分離可能である、
請求項１１に記載のワイヤレス送受電装置。
【発明の詳細な説明】
【技術分野】
【０００１】
本発明は、ワイヤレスで電力を伝送するのに用いられるワイヤレス受電装置、ワイヤレス送電装置、及びワイヤレス送受電装置に関する。
【背景技術】
【０００２】
近年、スマートフォンやタブレット端末などの電子機器との間で、ワイヤレスで電力を伝送するワイヤレス電力伝送システムが実用化されている。このようなワイヤレス電力伝送システムとして、例えば特許文献１〜３に記載のものがある。【０００３】
特許文献１は、電磁誘導型のワイヤレス電力伝送システムを開示している。電磁誘導型のワイヤレス電力伝送システムは、ワイヤレス送電装置とワイヤレス受電装置を有している。ワイヤレス送電装置は送電コイルを備え、ワイヤレス受電装置は受電コイルを備え、これらのコイル間で電磁誘導により電力が伝送される。【０００４】
特許文献２は、電磁誘導型のワイヤレス受電装置を開示している。【０００５】
特許文献３は、電界結合型のワイヤレス電力伝送システムを開示している。電界結合型のワイヤレス電力伝送システムは、ワイヤレス送電装置とワイヤレス受電装置を有している。ワイヤレス送電装置は送電電極を備え、ワイヤレス受電装置は受電電極を備え、これらの電極間で静電誘導により電力が伝送される。
【先行技術文献】
【特許文献】
【０００６】
【特許文献１】特許第３３４４５９３号公報
【特許文献２】特表２００６−５１０１０１号公報
【特許文献３】ＷＯ２０１１／１４８８０３号公報
【発明の概要】
【発明が解決しようとする課題】
【０００７】
ワイヤレス電力伝送機能を有していない従来のスマートフォンやタブレット端末等の電子機器において、ワイヤレス電力伝送を利用したいとの要望がある。この要望を実現する方法として、上記電子機器に外付けのワイヤレス受電装置を装着することが考えられる。ここで、これらの電子機器は、ユーザの利便性のため小型化、薄型化が進んでいる。そのため、外付けのワイヤレス受電装置についても、小型化、薄型化が望まれる。【０００８】
本発明は、小型化、薄型化したワイヤレス受電装置、ワイヤレス送電装置、及びワイヤレス送受電装置を提供することを目的とする。
【課題を解決するための手段】
【０００９】
本発明の第１の態様において、ワイヤレス受電装置が提供される。
このワイヤレス受電装置は、
略同一平面上に配置されるシート状のアクティブ電極及びパッシブ電極と、
両電極と同一平面に配置され、各電極から引き出されるシート状の引き出し線と、
両電極及び両引き出し線の両面を被覆する絶縁体シートと、
を備えたシート状の電極シート部と、
各引き出し線の端部間に誘起される交流電圧を降圧させる降圧部と、
降圧部によって降圧された交流電圧を整流及び平滑する整流平滑部と、
整流平滑部の出力電圧を出力するためのコネクタと、
を備えた受電部と、
を含む。【００１０】
本発明の第２の態様において、ワイヤレス送電装置が提供される。
このワイヤレス送電装置は、
略同一平面上に配置されるシート状のアクティブ電極及びパッシブ電極と、
両電極と同一平面に配置され、各電極から引き出されるシート状の引き出し線と、
両電極及び両引き出し線の両面を被覆する絶縁体シートと、
を備えたシート状の電極シート部と、
直流電圧を所定の周波数を有する交流電圧に変換するインバータ部と、
インバータ部から出力される交流電圧を昇圧させて各引き出し線の端部に印加する昇圧部と、
を備えた送電部と、
を含む。【００１１】
本発明の第３の態様において、ワイヤレス送受電装置が提供される。
このワイヤレス送受電装置は、
略同一平面上に配置されるシート状のアクティブ電極及びパッシブ電極と、
両電極と同一平面に配置され、各電極から引き出されるシート状の引き出し線と、
両電極及び両引き出し線の両面を被覆する絶縁体シートと、
を備えたシート状の電極シート部と、
各引き出し線の端部間に誘起される交流電圧を降圧させる降圧部と、
降圧部によって降圧された交流電圧を整流及び平滑する整流平滑部と、
整流平滑部の出力電圧を出力するためのコネクタと、
を備えた受電部と、
直流電圧を所定の周波数を有する交流電圧に変換するインバータ部と、
インバータ部から出力される交流電圧を昇圧させて各引き出し線の端部に印加する昇圧部と、
を備えた送電部と、
各引き出し線の端部と、昇圧部の出力部または降圧部の入力部とを択一的に接続させる切替部と、
を含む。【００１２】
本発明の第４の態様において、ワイヤレス送受電装置が提供される。
このワイヤレス送受電装置は、
略同一平面状に配置されるシート状のアクティブ電極及びパッシブ電極と、
両電極と同一平面に配置され、各電極から引き出されるシート状の引き出し線と、
両電極及び両引き出し線の両面を被覆する絶縁体シートと、
を備えた電極シート部と、
各引き出し線の端部に高圧側が接続された変圧部と、
変圧部によって降圧された交流電圧を整流及び平滑する整流平滑部と、
整流平滑部の出力電圧を出力するためのコネクタと、
を備えた受電部と、
直流電圧を所定の周波数を有する交流電圧に変換するインバータ部を備えた送電部と、
変圧部の低圧側と、送電部のインバータ部の出力または受電部の整流平滑部の入力とを選択的に接続する切替部と、
を含む。
【発明の効果】
【００１３】
本発明のワイヤレス受電装置、ワイヤレス送電装置、及びワイヤレス送受電装置において、アクティブ電極及びパッシブ電極を含む部位をシート状の電極シート部として構成した。そのため、アクティブ電極及びパッシブ電極を含む部位を薄型化することができる。したがって、ワイヤレス受電装置、ワイヤレス送電装置、及びワイヤレス送受電装置全体としても、薄型化、ひいては小型化を実現することができる。
【図面の簡単な説明】
【００１４】
【図１】実施形態１にかかるワイヤレス電力伝送システムの構成を示すブロック図である。
【図２】実施形態１にかかるワイヤレス受電装置の外観図である。
【図３】実施形態１にかかるワイヤレス受電装置に電子機器を取り付けた状態を示す図である。
【図４】実施形態１にかかるワイヤレス受電装置の電極シート部の断面図である。
【図５】実施形態１にかかるワイヤレス受電装置の電極シート部の具体例を示す図である。
【図６】実施形態２にかかるワイヤレス受電装置の構成を示すブロック図である。
【図７】実施形態２にかかるワイヤレス受電装置の外観図である。
【図８】実施形態２にかかるワイヤレス受電装置に電子機器を取り付けた状態を示す図である。
【図９】実施形態２にかかるワイヤレス受電装置において、種々の電子機器に応じた電極シート部の例を示す図である。
【図１０】実施形態３にかかるワイヤレス受電装置の電極シートの断面図である。
【図１１】実施形態４にかかるワイヤレス送電装置の構成を示すブロック図である。
【図１２】実施形態４にかかるワイヤレス送電装置の外観図である。
【図１３】実施形態４にかかるワイヤレス送電装置の電極シート部の具体例を示す図である。
【図１４】実施形態４にかかるワイヤレス送電装置の利用方法の一例を示す図である。
【図１５】実施形態５にかかるワイヤレス送受電装置の構成を示すブロック図である。
【図１６】実施形態６にかかるワイヤレス送受電装置の構成を示すブロック図である。
【図１７】その他の実施形態にかかるワイヤレス受電装置の構成を示すブロック図である。
【図１８】その他の実施形態にかかるワイヤレス受電装置の外観図である。
【発明を実施するための形態】
【００１５】
（実施形態１）
実施形態１に係る送電装置について図面を参照して説明する。
【００１６】
１．構成
図１は、実施形態１のワイヤレス電力伝送システムの構成を示すブロック図である。本実施形態のワイヤレス電力伝送システムは、電界結合型のものであり、ワイヤレス送電装置１と、ワイヤレス受電装置２とを含む。ワイヤレス送電装置１は、電界結合型のワイヤレス電力伝送によりワイヤレス受電装置２に電力を伝送し、ワイヤレス受電装置２は受電した電力を電子機器３に適した直流電圧に変換して供給する。
【００１７】
１−１．ワイヤレス送電装置の構成
ワイヤレス送電装置１は、ＡＣ／ＤＣコンバータ１１、送電モジュール１２、昇圧部２１、送電装置側パッシブ電極３１Ｐ及び送電装置側アクティブ電極３１Ａ（送電装置側電極部）を有する。
【００１８】
ＡＣ／ＤＣコンバータ１１は、商用電源等から入力した交流電圧を所定電圧値の直流電圧に変換する。所定値は例えば１０Ｖ〜２０Ｖである。なお、ＡＣ／ＤＣコンバータ１１の２次側、かつ送電モジュール１２の一次側にＡＣ／ＤＣコンバータ１１の出力により充電される充電池を設けてもよい。これにより、商用電源が得られない場合でも、ワイヤレス送電装置１による送電を行うことができる。
【００１９】
送電モジュール１２は、保護回路１２ａ、インバータ１２ｂ、及び制御回路１２ｃを含む。
【００２０】
保護回路１２ａは、例えば過電流、過電圧の発生時に、ＡＣ／ＤＣコンバータ１１とインバータ１２ｂとの間を遮断する。
【００２１】
インバータ１２ｂは、ＡＣ／ＤＣコンバータ１１からの直流電圧を所定電圧値及び所定周波数の交流電圧に変換する。所定電圧値は例えば１０Ｖ〜２０Ｖである。所定周波数は例えば１ｋＨｚである。
【００２２】
制御回路１２ｃは、送電モジュール１２等の動作の制御を行う。
【００２３】
昇圧部２１は、送電モジュール１２のインバータ１２ｂから出力された交流電圧を昇圧する。昇圧部２１は、例えば昇圧トランスにより構成される。昇圧部２１による昇圧後の電圧は例えば１００Ｖ〜１０ｋＶである。
【００２４】
送電装置側パッシブ電極３１Ｐと送電装置側アクティブ電極３１Ａとの間に、昇圧部２１で昇圧された電圧が印加される。
【００２５】
送電装置側パッシブ電極３１Ｐ及び送電装置側アクティブ電極３１Ａと、ワイヤレス受電装置２の後述する受電装置側パッシブ電極４１Ｐ及び受電装置側アクティブ電極４１Ａとが所定の対向状態にあるときに、これらの電極の間に結合容量が生じる。この状態で、送電装置側パッシブ電極３１Ｐと送電装置側アクティブ電極３１Ａとの間に昇圧部２１で昇圧された電圧が印加されることにより、ワイヤレス送電装置１は、受電装置２に電界結合により電力を伝送する。
【００２６】
送電装置側パッシブ電極３１Ｐ、及び送電装置側アクティブ電極３１Ａは、平板状の金属部材である。
【００２７】
１−２．ワイヤレス受電装置の構成
ワイヤレス受電装置２は、電極シート部２Ａ、及び受電部２Ｂを有する。
【００２８】
電極シート部２Ａは、受電装置側パッシブ電極４１Ｐ、受電装置側アクティブ電極４１Ａ（受電装置側電極部）、及び引き出し線４５Ａ、４５Ｐを有する。受電装置側パッシブ電極４１Ｐ、受電装置側アクティブ電極４１Ａ、及び引き出し線４５Ａ、４５Ｐは、絶縁体シート５０により被覆されている。
【００２９】
受電装置側パッシブ電極４１Ｐ及び受電装置側アクティブ電極４１Ａは、シート状の金属部材、例えば所定の厚さを有する金属箔である。
【００３０】
引き出し線４５Ａ及び４５Ｐは、受電装置側パッシブ電極４１Ｐ及び受電装置側アクティブ電極４１Ａと、受電部２Ｂとを接続する。引き出し線４５Ａ及び４５Ｐは、シート状の金属部材、例えば所定の厚さを有する金属箔である。
【００３１】
受電部２Ｂは、降圧部４３、受電モジュール４４、及びコネクタ４６を有する。降圧部４３は、受電装置側パッシブ電極４１Ｐと受電装置側アクティブ電極４１Ａとの間に（後述する引き出し線４５Ａ、４５Ｐの端部間に）誘起された交流電圧を降圧する。降圧部４３は、例えば降圧トランスにより構成される。
【００３２】
受電モジュール４４は、整流平滑回路、及びＤＣ／ＤＣコンバータ等を有する。整流平滑回路は、降圧部４３で降圧された交流電圧を直流電圧に整流及び平滑する。ＤＣ／ＤＣコンバータは、整流平滑回路で整流された直流電圧を電子機器３に適した直流電圧に変換及び安定化させて、コネクタ４６に出力する。
【００３３】
コネクタ４６は、電子機器３に電力を供給するためのインタフェースである。コネクタ４６は、電子機器３の有するコネクタ６３に適合する仕様で形成されている。
【００３４】
１−３．電子機器の構成
電子機器３は、電池６１、負荷回路６２、及びコネクタ６３を有する。電子機器３は、例えば、スマートフォン、タブレット端末、ミュージックプレイヤ等である。
【００３５】
電池６１は、ワイヤレス受電装置２の受電モジュール４４のＤＣ／ＤＣコンバータから出力された直流電力を蓄電するとともに、負荷回路６２に直流電力を供給する。
【００３６】
負荷回路６２は、電子機器３に関する所定の機能を実行する。
【００３７】
コネクタ６３は、外部機器と接続するためのインタフェースである。コネクタ６３は、外部機器から供給される電力を受けることが可能である。コネクタ６３は、例えば、ＵＳＢ規格や当該電子機器３専用の規格に基づくものが利用される。
【００３８】
２．ワイヤレス受電装置の構造
図２は、実施形態１にかかるワイヤレス受電装置の外観図である。具体的に、図２（ａ）は、実施形態１にかかるワイヤレス受電装置の背面図である。図２（ｂ）は、実施形態１にかかるワイヤレス受電装置の側面図である。
【００３９】
ワイヤレス受電装置２は、前述のように受電部２Ｂと電極シート部２Ａとを有する。
【００４０】
受電部２Ｂには、前述の降圧部４３、受電モジュール４４、及びコネクタ４６が設けられている（図１参照）。
【００４１】
電極シート部２Ａには、受電装置側パッシブ電極４１Ｐ及び受電装置側アクティブ電極４１Ａが設けられている。また、電極シート部２Ａには、受電装置側パッシブ電極４１Ｐ及び受電装置側アクティブ電極４１Ａと受電部２Ｂとを接続するための引き出し線４５Ａ、４５Ｐが設けられている。
【００４２】
図３は、実施形態１にかかるワイヤレス受電装置に電子機器を取り付けた状態における外観図である。具体的に、図３（ａ）は、実施形態１にかかるワイヤレス受電装置に電子機器を取り付けた状態における背面図である。図３（ｂ）は、実施形態１にかかるワイヤレス受電装置に電子機器を取り付けた状態における側面図である。
【００４３】
本実施形態１では、一例として、電子機器３がスマートフォンである場合を示している。電極シート部２Ａは、電子機器３の裏面（背面。液晶ディスプレイが設けられた面とは反対の面）に貼り付けられる。なお、後述するように、電極シート部２Ａは、受電装置側パッシブ電極４１Ｐ及び受電装置側アクティブ電極４１Ａを含めて透明であり、電子機器３の背面が透けて見える。また、受電部２Ｂは、コネクタ４６が電子機器３のコネクタ６３に接続されることにより電子機器３に固定される。
【００４４】
図４は、電極シート部２Ａの断面図である。電極シート部２Ａは、受電装置側パッシブ電極４１Ｐ、受電装置側アクティブ電極４１Ａ、及び引き出し線４５Ａ、４５Ｐを被覆する絶縁体シート５０を含む。受電装置側パッシブ電極４１Ｐ及び受電装置側アクティブ電極４１Ａは同一平面上に配置されている。なお、図示されていないが、引き出し線４５Ａ、４５Ｐも、受電装置側パッシブ電極４１Ｐ及び受電装置側アクティブ電極４１Ａと同一平面上に配置されている。絶縁体シート５０は、電極シート部２Ａの表面（電子機器３に貼り付けられる面とは反対側の面）を構成する表面シート５１と、電極シート部２Ａの裏面（電子機器３に貼り付けられる面）を構成する裏面シート５２とを有する。受電装置側パッシブ電極４１Ｐ及び受電装置側アクティブ電極４１Ａは、表面シート５１と裏面シート５２との間に介設され、両シート５１、５２により被覆されている。
【００４５】
受電装置側パッシブ電極４１Ｐ及び受電装置側アクティブ電極４１Ａは、金属箔である。本実施形態では、金属箔として透明な金属箔を用いる。透明な金属箔としては例えばＩＴＯ（Indium Tin Oxide）を用いることができる。金属箔は、例えば１μｍ程度の厚さを有する。引き出し線４５Ａ、４５Ｐについても同様である。
【００４６】
表面シート５１及び裏面シート５２はそれぞれ、樹脂シートである。樹脂シートとしては、例えば、粘着性や絶縁性を有するウレタン樹脂やシリコン樹脂を用いることができる。電力受電中にはパッシブ電極４１Pとアクティブ電極４１Aの間には高電圧が発生する。表面シート５１及び裏面シート５２により絶縁被覆することで、電極と他の物体が接触することによる放電や、感電、またそれに伴い生じる装置の故障を防ぐことができる。表面シート５１は、例えば０．０２ｍｍ〜０．１ｍｍ程度の厚さを有する。本実施形態では、樹脂シートとして透明なシートを用いている。裏面シート５２は、例えば０．０２ｍｍ〜０．１ｍｍ程度の厚さを有する。なお、表面シート５１の厚さは、上記範囲において可能な限り薄くし、裏面シート５２の厚さは上記範囲において可能な限り厚くすることが好ましい。例えば、裏面シート５２の厚さは０．０６ｍｍ以上とすることが好ましい。裏面シート５２の厚さを厚くすることにより、電子機器３に内蔵された接地電極と、電極シート部２Ａの受電装置側アクティブ電極４１Ａとの間で生じる容量を減少させて、ワイヤレス受電装置２の動作を安定させることができる。一方、表面シート５２の厚さを薄くすることにより、電極シート部２Ａの厚さを減少させることができる。本実施形態では、取り付け対象の電子機器３側に配置されることとなる裏面シート５２の厚さを表面シート５１の厚さよりも厚くしており、これにより表面シート５１および裏面シート５２に関する前述の効果を両立している。上記のように構成することにより、本実施形態では、電極シート部２Ａの厚さを例えば０．２ｍｍ程度の厚さとすることも可能である。そのため、電極シート部２Ａを、電子機器３と保護ケースとの間に挟むことが可能である。
【００４７】
以上のように、電極シート部２Ａを構成する部材はいずれも透明である。そのため、電極シート部２Ａ全体が透明となる。したがって、電子機器３に取り付けた場合でも、電子機器３のケースの表面の模様等が電極シート部２Ａを介して透過し、スマートフォン等の電子機器３の意匠性を損なうことがない。なお、本例では、意匠性を考慮して電極シート部２Ａを透明に構成したが、電極シート部２Ａは必ずしも透明でなくてもよい。この場合、例えば安価な銅箔や銀箔を用いることができる。
【００４８】
図５は、ワイヤレス受電装置６の電極シート部２Ａの具体例を示す図である。この電極シート部２Ａにおいては、ほぼ中央に受電装置側アクティブ電極４１Ａが配置され、上部及び下部に受電装置側パッシブ電極４１Ｐが配置されている。そして、各電極４１Ａ、４１Ｐからそれぞれ引き出し線４５Ａ、４５Ｐが延びている。これらの電極４１Ａ、４１Ｐ及び引き出し線４５Ａ、４５Ｐは、図４で説明したように、表面シート５１と裏面シート５２との間に設けられている。本例では、受電装置側アクティブ電極４１Ａ、受電装置側パッシブ電極４１Ｐ、及び引き出し線４５Ａ、４５Ｐを構成する金属箔はメッシュ状に形成されている。
【００４９】
本実施形態によるワイヤレス受電装置６によれば、以下のような効果が得られる。
【００５０】
本実施形態では、受電装置側アクティブ電極４１Ａ及び受電装置側パッシブ電極４１Ｐを有する部位をシート状に構成したので、ワイヤレス受電装置６を薄型化することができる。そのため、電子機器３にワイヤレス受電装置２を取り付けた場合でも、電子機器３の厚さを大きく増加させることがない。したがって、ワイヤレス受電装置２を取り付けたままでも持ち運びしやすくなる。
【００５１】
また、スマートフォン等の電子機器３は、保護ケース等に収納されて利用される場合がある。本実施形態では、電子機器の背面に取り付けるシート部５Ａが薄型であるので、上記のような場合においても、シート部５Ａをスマートフォン等の電子機器３の背面に取り付けた状態で保護ケースに収納することが可能となる。また、シート部５Ａを透明とすることにより、保護ケースに貼り付けたとしても保護ケースの意匠を損なわない。
【００５２】
また、受電装置側アクティブ電極４１Ａ及び受電装置側パッシブ電極４１Ｐを、電子機器３の背面に取り付けるシート部５Ａに配置したことにより、スマートフォン等の電子機器３の背面を有効利用して、受電装置側アクティブ電極４１Ａ及び受電装置側パッシブ電極４１Ｐの面積を大きくすることができる。そのため、電力伝送効率を向上させやすい。
【００５３】
また、受電装置側アクティブ電極４１Ａ及び受電装置側パッシブ電極４１Ｐを透明としたことにより、受電装置側アクティブ電極４１Ａ及び受電装置側パッシブ電極４１Ｐの面積を大きくしたとしても、電子機器３の意匠を損なわない。この点においても、受電装置側アクティブ電極４１Ａ及び受電装置側パッシブ電極４１Ｐの面積を大きくしやすい。
【００５４】
また、本実施形態のワイヤレス電力伝送システムでは、ワイヤレス送電装置１に昇圧部２１を備え、ワイヤレス受電装置５に降圧部４３を備える。そのため、送電装置側パッシブ電極３１Ｐと送電装置側アクティブ電極３１Ａとの間、及び受電装置側パッシブ電極４１Ｐと受電装置側アクティブ電極４１Ａとの間には電子機器３等で利用される電圧よりも高い電圧が印加される。これにより、電力の伝送効率を高くすることができる。また、送電装置側パッシブ電極３１Ｐ及び送電装置側アクティブ電極３１Ａ（送電装置側電極部）、並びに受電装置側パッシブ電極４１Ｐ及び受電装置側アクティブ電極４１Ａ（受電装置側電極部）等における伝送損失を少なくするとともに、発熱を少なくすることができる。電磁誘導型のワイヤレス電力伝送システムでは、コイルに大きな電流が流れるため伝送損失や発熱が大きい。また、その結果、コイルの線径を大きくする必要がある。そのため、電磁誘導型のワイヤレス電力伝送システムの場合、コイルを有するシート部を設けたとしても、例えば１ｍｍ以上の厚さとなり、薄くするには限度がある。そのため、電子機器と保護ケースとの間に挟むことは困難である。
【００５５】
３．まとめ
以上のように、本実施形態のワイヤレス受電装置２は、
略同一平面上に配置されるシート状のアクティブ電極４１Ａ及び受電装置側パッシブ電極４１Ｐと、
両電極４１Ａ、４１Ｐと同一平面に配置され、各電極４１Ａ、４１Ｐから引き出されるシート状の引き出し線４５Ａ、４５Ｐと、
両電極４１Ａ、４１Ｐ及び両引き出し線４５Ａ、４５Ｐの両面を被覆する絶縁体シート５０と、
を備えた電極シート部２Ａと、
各引き出し線４５Ａ、４５Ｐの端部間に誘起される交流電圧を降圧させる降圧部４３と、
降圧部４３によって降圧された交流電圧を整流及び平滑する受電モジュール４４と、
受電モジュール４４の出力電圧を出力するためのコネクタ４６と、
を備えた受電部２Ｂと、
を含む。
【００５６】
つまり、ワイヤレス受電装置２において、受電装置側アクティブ電極４１Ａ及び受電装置側パッシブ電極４１Ｐを含む部位をシート状の電極シート部として構成した。そのため、受電装置側アクティブ電極４１Ａ及び受電装置側パッシブ電極４１Ｐを含む電極シート部２Ａを薄型化することができる。したがって、ワイヤレス受電装置２全体としても、薄型化、ひいては小型化を実現することができる。
【００５７】
本実施形態のワイヤレス受電装置２において、
絶縁体シート５０は、両電極４１Ａ、４１Ｐ及び両引き出し線４５Ａ、４５Ｐの一方の面を被覆する第１の絶縁体シート５１と、両電極４１Ａ、４１Ｐ及び両引き出し線の他方の面を被覆する第２の絶縁体シート５２とで構成され、
第１の絶縁体シート５１と第２の絶縁体シート５２とのうち、取り付け対象の電子機器側に配置されることとなる絶縁体シート５２の厚さが、他方の絶縁体シート５１よりも厚い。
【００５８】
これにより、電子機器に内蔵された接地電極と、電極シート部２Ａの受電装置側パッシブ電極４１Ｐ及び受電装置側アクティブ電極４１Ａとの間で生じる容量を減少させて、ワイヤレス受電装置２の動作を安定させることができる。
【００５９】
なお、絶縁体シート５０の主面の一方に接着層５５（図４参照）が設けられていてもよい。
【００６０】
これにより、電極シート部２Ａを電子機器３に貼り付けて固定することができる。
【００６１】
（実施形態２）
実施形態２にかかるワイヤレス受電装置について説明する。図６は、実施形態２にかかるワイヤレス受電装置の構成を示すブロック図である。図７は、実施形態２にかかるワイヤレス受電装置の外観図である。具体的に、図７（ａ）は、実施形態２にかかるワイヤレス受電装置の背面図である。図７（ｂ）は、実施形態２にかかるワイヤレス受電装置の側面図である。
【００６２】
本実施形態にかかるワイヤレス受電装置１０２においては、電極シート部１０２Ａと受電部１０２Ｂとが分離可能である。具体的には、受電部１０２にはスプリングコネクタ４７Ａ、４７Ｂが設けられている。スプリングコネクタ４７Ａ、４７Ｂは、降圧部４３の入力配線に接続されている。電極シート部１０２Ａには受電部１０２のスプリングコネタク４７Ａ、４７Ｂと接続可能な第１接続端子４８Ａ及び第２接続端子４８Ｂが設けられている。第１接続端子４８Ａは、受電装置側アクティブ電極４１Ａからの引き出し線４５Ａの端部に接続され、第２接続端子４８Ｂは受電装置側パッシブ電極４１Ｐからの引き出し線４５Ｐの端部に接続されている。その他の構成は、実施形態１と同一である。
【００６３】
図８は、実施形態２にかかるワイヤレス受電装置に電子機器を取り付けた状態を示す図である。具体的に、図８（ａ）は、実施形態２にかかるワイヤレス受電装置に電子機器を取り付けた状態における背面図である。図８（ｂ）は、実施形態２にかかるワイヤレス受電装置に電子機器を取り付けた状態における側面図である。
【００６４】
本実施形態におけるワイヤレス受電装置１０２では、例えば、電子機器３の利用時には電極シート部１０２Ａのみを電子機器３に取り付けておき、充電する際に電極シート部１０２Ａと受電部１０２Ｂとを接続するという利用方法を取ることが可能となる。この構造では、スプリングコネクタ４７Ａ、４７Ｂとコネクタ４６が受電部１０２Ｂの同一面に設けてあるため、受電部１０２Ｂを電子機器３に接続すると同時に電極シート１０２Ａと受電部１０２Ｂも接続される。また、受電部１０２Ｂと電子機器３の間に電極シート１０２Ａの接点部を挟み込む構造として外部に露出しないようにしたため、接点部が外部の物体と接触することによる放電等の事故が生じない。これにより、ワイヤレス受電装置１０２を利用する場合における、電子機器３の利用の利便性を向上させることができる。また、電子機器３の意匠を損なわない。
【００６５】
また、本実施形態におけるワイヤレス受電装置１０２では、電極シート部１０２Ａを交換することが可能となる。この場合、種々の電子機器に応じて種々の電極シート部１０２Ａを準備しておくことで、種々の電子機器へ対応することが可能となる。なお、この場合、種々の電子機器３の消費電力に対応できるよう受電部１０２Ｂを構成するのが好ましい。これにより、複数種類の電極シート部１０２Ａと、１つの受電部１０２Ｂとを組み合わせることにより、種々の電子機器３に対応することが可能となる。
【００６６】
図９は、実施形態２にかかるワイヤレス受電装置において、種々の電子機器に応じた電極シート部の例を示す図である。図９（ａ）は、電子機器３がタブレット装置である場合を示す。図９（ｂ）は、電子機器がミュージックプレイヤである場合を示す。これらの図に示すように、電極シート部１０２Ａの形状は、電子機器３に応じて変更してもよい。なお、電極シート部１０２Ａにおけるアクティブ電極及びパッシブ電極の形状及び大きさを統一しておけば、電極シート部１０２Ａを交換したとしても、同一のワイヤレス送電装置を用いることができる。
【００６７】
以上のように、本実施形態にかかるワイヤレス受電装置１０２においては、電極シート部１０２Ａと受電部１０２Ｂとが分離可能である。これにより、電子機器３の利用の利便性を向上させることができる。また、電極シート部１０２Ａのみ交換することで、種々の電子機器３に容易に対応することができる。
【００６８】
（実施形態３）
実施形態３にかかるワイヤレス受電装置について説明する。本実施形態では、電極シート部の構造が、実施形態１における電極シート部２Ａの構造と異なる。図１０は、実施形態３の電極シート部の断面図である。本実施形態では、電極シート部２Ａ′の絶縁体シート５０′は、３層のシート５１′、５２′、５３′を含む。具体的に、電極シート部２Ａ′は、電極シート部２Ａ′の表面を構成する表面シート５１′と、電極シート部５′の裏面を構成する裏面シート５３′と、これらの間に設けられた中間シート５２′とを有する。表面シート５１′と中間シート５２′との間に、受電装置側パッシブ電極４１Ｐ及び受電装置側アクティブ電極４１Ａが設けられている。表面シート５１′と中間シート５２′との間に、シールド電極４１Ｓが設けられている。シールド電極４１Ｓは、受電装置側パッシブ電極４１Ｐに接続されており、パッシブ電極としても機能する。
【００６９】
つまり、本実施形態にかかるワイヤレス受電装置においては、絶縁体シート５０′の主面の一方にシート状のシールド電極４１Ｓが設けられ、シールド電極４１Ｓにおける表面シート５１′及び中間シート５２′側とは反対側の面に裏面シート５３′が設けられている。
【００７０】
このように構成することにより、電子機器３に内蔵された接地電極と、電極シート部２Ａ′の受電装置側アクティブ電極４１Ａとの間に生じる容量が機器ごとに異なるのを防ぐことができる。これにより、受電装置側アクティブ電極４１Ａとシールド電極４１Ｓとの距離がシートによって決まり、機器ごとに異ならないため、シートの共通化を図ることができる。
【００７１】
（実施形態４）
実施形態４にかかるワイヤレス送電装置について説明する。図１１は、実施形態４にかかるワイヤレス送電装置の構成を示すブロック図である。図１２は、実施形態４にかかるワイヤレス送電装置の外観図である。具体的に、図１２は、実施形態４にかかるワイヤレス送電装置の背面図である。
【００７２】
本実施形態のワイヤレス送電装置２０１は、実施形態１のワイヤレス送電装置１と同様の、ＡＣ／ＤＣコンバータ１１、送電モジュール１２、昇圧部２１、及び送電装置側パッシブ電極３１Ｐ及び送電装置側アクティブ電極３１Ａ（送電装置側電極部）を有する。
【００７３】
本実施形態のワイヤレス送電装置２０１は、上記実施形態１で説明したワイヤレス受電装置２のように、送電部２０１Ｂと、シート状の電極シート部２０１Ａとを有する。送電部２０１Ｂには、ＡＣ／ＤＣコンバータ１１、送電モジュール１２、及び昇圧部２１が設けられている。
【００７４】
電極シート部２０１Ａには、送電装置側パッシブ電極３１Ｐ及び送電装置側アクティブ電極３１Ａが設けられている。また、電極シート部２０１Ａには、送電装置側アクティブ電極３１Ａと送電部２０１Ｂとを接続するための引き出し線３５Ａ、３５Ｐが設けられている。送電装置側パッシブ電極３１Ｐ及び送電装置側アクティブ電極３１Ａ及び引き出し線３５Ａ、３５Ｐは、絶縁体シート７０により被覆されている。なお、電極シート部２０１Ａの基本構造は、図４を用いて説明した、ワイヤレス受電装置２における電極シート部２Ａと同様の構造を有している。そのため、具体的な説明は省略する。
【００７５】
図１３は、ワイヤレス送電装置２０１の電極シート部２０１Ａの具体例を示す図である。この電極シート部２０１Ａにおいては、ほぼ中央に送電装置側アクティブ電極３１Ａが配置され、上部及び下部に送電装置側パッシブ電極３１Ｐが配置されている。そして、各電極３１Ａ、３１Ｐからそれぞれ引き出し線３５Ａ、３５Ｐが延びている。
【００７６】
図１４は、実施形態４にかかるワイヤレス送電装置の利用形態の一例を示す図である。同図において、ワイヤレス送電装置２０１は、テーブルＴの上に配置されている。そして、このワイヤレス送電装置２０１の電極シート部２０１Ａ上に、例えばワイヤレス受電機能を有する電子機器２０３を載置することにより、電子機器２０３のワイヤレス充電を行うことができる。このように、ワイヤレス送電装置２０１の電極シート部２０１ＡをテーブルＴ上に載置するだけで、テーブルＴを充電台として利用することが可能となる。なお、電極シート部２０１ＡはテーブルＴに貼り付けてもよい。これにより、ワイヤレス送電装置２０１がテーブルＴ上で移動したり変形したりするのを抑制することができる。また、電極シート部２０１Ａとして透明なものを用いれば、テーブルＴの意匠を損なわない。
【００７７】
なお、電子機器２０３は、ワイヤレス受電機能を有するものでなくてもよい。例えば、実施形態１で説明した電子機器３にワイヤレス受電装置２を取り付けたものであってもよい。
【００７８】
また、ワイヤレス送電装置２０１を電子機器２０３の上から重ねて配置してもよい。この場合でも、ワイヤレス送電装置２０１と電子機器２０３との間での電力の伝送は可能である。
【００７９】
また、図１４の例では、送電部２０１ＢをテーブルＴの上面に配置しているが、テーブルＴの下に収納してもよい。これにより、テーブルＴの意匠に影響を与えるのを抑制できる。また、テーブルとして利用しやすくなる。
【００８０】
以上のように、本実施形態のワイヤレス送電装置２０１は、
略同一平面上に配置されるシート状の送電装置側アクティブ電極３１Ａ及び送電装置側パッシブ電極３１Ｐと、
両電極３１Ａ、３１Ｂと同一平面に配置され、各電極３１Ａ、３１Ｐから引き出されるシート状の引き出し線３５Ａ、３５Ｐと、
両電極３１Ａ、３１Ｐ及び両引き出し線３５Ａ、３５Ｐの両面を被覆する絶縁体シート７０と、
を備えた電極シート部２０１Ａと、
直流電圧を所定の周波数を有する交流電圧に変換するインバータ部１２ｂと、
インバータ部１２ｂから出力される交流電圧を昇圧させて各引き出し線３５Ａ、３５Ｐの端部に印加する昇圧部２１と、
を備えた送電部２０１Ｂと、
を含む。
【００８１】
つまり、ワイヤレス送電装置２０１において、送電装置側アクティブ電極３１Ａ及び送電装置側パッシブ電極３１Ｐを含む部位をシート状の電極シート部２０１として構成した。そのため、送電装置側アクティブ電極３１Ａ及び送電装置側パッシブ電極３１Ｐ並びに引き出し線３５Ａ、３５Ｐを含む電極シート部２０１を薄型化することができる。したがって、ワイヤレス受電装置２全体としても、薄型化、ひいては小型化を実現することができる。
【００８２】
なお、本実施形態のワイヤレス送電装置２０１において、
電極シート部２０１Ａと送電部２０１Ｂとは、実施形態２における電極シート部１０２Ａと受電部１０２Ｂの場合同様に、分離可能としてもよい。
【００８３】
これにより、電極シート部２０１Ａのみ交換することで、種々の電子機器２０３に容易に対応することができる。
【００８４】
また、本実施形態のワイヤレス送電装置２０１において、
絶縁体シート５０の主面の一方に接着層が設けられてもよい。
【００８５】
これにより、電極シート部２Ａを電子機器３やテーブルＴに固定することができる。
【００８６】
（実施形態５）
図１５は、実施形態５にかかるワイヤレス送受電装置の構成を示すブロック図である。本実施形態のワイヤレス送受電装置３００は、ワイヤレス受電装置及びワイヤレス送電装置の両方の機能を実現する。具体的に、本実施形態のワイヤレス送受電装置３００は、送受電部３００Ｂと、電極シート部３００Ａとを備える。送受電部３００Ｂは、送電部３０１Ｂ、受電部３０２Ｂ、及び切替部３０７を有する。
【００８７】
電極シート部３００Ａはシート状形状を有しており、実施形態１の電極シート部２Ａと同一の構成を有している。送電部３０１Ｂは、実施形態４の送電部２０１Ｂと同一の構成を有している。受電部３０２Ｂは、実施形態１の受電部１０２Ｂと同一の構成を有している。そのため、電極シート部３００Ａ、送電部３０１Ｂ、及び受電部３０２Ｂの構成についての説明は省略する。
【００８８】
切替部３０７は、送電部３０１Ｂの出力と受電部３０２Ｂの出力とを切り替えてアクティブ電極４１Ａ及びパッシブ電極４１Ｐに出力する。つまり、電極シート部３００Ａを、送電部３０１Ｂと受電部３０２Ｂとで共用している。
【００８９】
本実施形態によれば、送電部３０１Ｂによるワイヤレス送電機能と、受電部３０２Ｂによるワイヤレス受電機能とを切り替えて利用することができる。
【００９０】
以上のように、本実施形態のワイヤレス送受電装置３００は、
略同一平面上に配置されるシート状のアクティブ電極４１Ａ及びパッシブ電極４１Ｐと、
両電極４１Ａ、４１Ｐと同一平面に配置され、各電極４１Ａ、４１Ｐから引き出されるシート状の引き出し線４５Ａ、４５Ｐと、
両電極４１Ａ、４１Ｐ及び両引き出し線４５Ａ、４５Ｐの両面を被覆する絶縁体シート５０と、
を備えた電極シート部３００Ａと、
各引き出し線４５Ａ、４５Ｐの端部間に誘起される交流電圧を降圧させる降圧部４３と、
降圧部４３によって降圧された交流電圧を整流及び平滑する受電モジュール４４と、
受電モジュール４４の出力電圧を出力するためのコネクタ４６と、
を備えた受電部３０２Ｂと、
直流電圧を所定の周波数を有する交流電圧に変換するインバータ部１２ｂと、
インバータ部１２ｂから出力される交流電圧を昇圧させて各引き出し線４５Ａ、４５Ｐの端部に印加する昇圧部２１と、
を備えた送電部３０１Ｂと、
各引き出し線４５Ａ、４５Ｐの端部と、昇圧部２１の出力部または降圧部４３の入力部とを択一的に接続させる切替部３０７と、
を含む。
【００９１】
これにより、送電部３０１Ｂによるワイヤレス送電機能と、受電部３０２Ｂによるワイヤレス受電機能を切り替えて利用することができる。
【００９２】
なお、本実施形態のワイヤレス送受電装置３００において、
電極シート部３００Ａと、受電部３０２Ｂ、送電部３０１Ｂ、及び切替部３０７を含む送受電部３００Ｂとを分離可能としてもよい。
【００９３】
これにより、電極シート部３００Ａのみ交換することで、種々の電子機器３に容易に対応することができる。
（実施形態６）
図１６は、実施形態６にかかるワイヤレス送受電装置の構成を示すブロック図である。本実施形態のワイヤレス送受電装置４００は、ワイヤレス受電装置及びワイヤレス送電装置の両方の機能を実現する。具体的に、本実施形態のワイヤレス送受電装置４００は、送受電部４００Ｂと、電極シート部４００Ａとを備える。送受電部４００Ｂは、送電部４０１Ｂ、受電部４０２Ｂ、切替部４０７、及び変圧部４０８を有する。
【００９４】
電極シート部４００Ａは、実施形態１の電極シート部２Ａと同一の構成を有している。  
【００９５】
送電部４０１Ｂは、実施形態１同様のＡＣ／ＤＣコンバータ１１、送電モジュール１２を有する。
【００９６】
受電部３０２Ｂは、実施形態１同様の受電モジュール４４、及びコネクタ４６を有する。
【００９７】
切替部４０７は、変圧部４０８の低圧側と、送電部４０１Ｂのインバータ１２ｂの出力または受電部４０２Ｂの受電モジュール４４の入力とを選択的に接続する。
【００９８】
変圧部４０８における切替部４０７と反対側の端子は、アクティブ電極４１Ａ及びパッシブ電極４１Ｐ（引き出し線４５Ａ、４５Ｐ）に接続されている。変圧部４０８においては、切替部４０７側が低圧側であり、アクティブ電極４１Ａ及びパッシブ電極４１Ｐ側が高圧側である。
【００９９】
以上のように、本実施形態では、電極シート部４００Ａ及び変圧部４０８を、送電部４０１Ｂと受電部４０２Ｂとで共用している。
【０１００】
本実施形態によれば、送電部４０１Ｂによるワイヤレス送電機能と、受電部４０２Ｂによるワイヤレス受電機能を切り替えて利用することができる。
【０１０１】
以上のように、本実施形態のワイヤレス送受電装置４００は、
略同一平面状に配置されるシート状の受電装置側アクティブ電極４１Ａ及び受電装置側パッシブ電極４１Ｐと、
両電極４１Ａ、４１Ｐと同一平面に配置され、各電極４１Ａ、４１Ｐから引き出されるシート状の引き出し線４５Ａ、４５Ｐと、
両電極４１Ａ、４１Ｐ及び両引き出し線４５Ａ、４５Ｐの両面を被覆する絶縁体シート５０と、
を備えた電極シート部４００Ａと、
各引き出し線４５Ａ、４５Ｐの端部に高圧側が接続された変圧部４０８と、
変圧部４０８によって降圧された交流電圧を整流及び平滑する受電モジュール４４と、
受電モジュール４４の出力電圧を出力するためのコネクタ４６と、
を備えた受電部４０２Ｂと、
直流電圧を所定の周波数を有する交流電圧に変換するインバータ１２ｂを備えた送電部４０１Ｂと、
変圧部４０８の低圧側と、送電部４０１Ｂのインバータ１２ｂの出力または受電部４０２Ｂの受電モジュール４４の入力とを選択的に接続する切替部４０７と、
を含む。
【０１０２】
これにより、送電部４０１Ｂによるワイヤレス送電機能と、受電部４０２Ｂによるワイヤレス受電機能を切り替えて利用することができる。また、インバータ１２ｂの出力の昇圧及び受電モジュール４４への入力の降圧を一つの変圧部４０８で行うことができる。実施形態５では、降圧部と昇圧部の２つの変圧部が必要であったが、これを減少させることができる。また、切替部４０７が変圧部４０８の低圧側に設けられているので、切替部４０７として、実施形態５の場合よりも、耐圧の低いものを用いることができる。
【０１０３】
なお、本実施形態のワイヤレス送受電装置４００において、
電極シート部４００Ａと、受電部４０２Ｂ、送電部４０１Ｂ、切替部４０７、及び変圧部４０８を含む送受電部４００Ｂとを分離可能としてもよい。
【０１０４】
これにより、電極シート部４００Ａのみ交換することで、種々の電子機器３に容易に対応することができる。
【０１０５】
（その他の実施形態）
その他の実施形態にかかるワイヤレス受電装置について説明する。図１７は、ワイヤレス受電装置のさらに別の構成例を示すブロック図である。図１８は、そのワイヤレス受電装置の外観図である。これらの図に示すワイヤレス受電装置５０２においては、電極シート部５０２Ａには受電装置側アクティブ電極４１Ａのみが設けられ、パッシブ電極は設けられていない。この構成においては、パッシブ電極として、電子機器３の有する接地電極を利用する。例えば、受電部５０２Ｂの降圧部４３の入力端の一方がコネクタ４６、６３を介して電子機器３の接地電極に接続される。この構成により、ワイヤレス受電装置５０２の構成を簡素化することができる。
【符号の説明】
【０１０６】
１、２０１  ワイヤレス送電装置
２、１０２  ワイヤレス受電装置
２Ａ、１０２Ａ、２０１Ａ、３００Ａ、４００Ａ  シート部
２Ｂ、１０２Ｂ、３０２Ｂ、４０２Ｂ  受電部
３  電子機器
１１  ＡＣ／ＤＣコンバータ
１２  送電モジュール
１２ａ  保護回路
１２ｂ  インバータ
１２ｃ  制御回路
２１  昇圧部
３１Ａ  送電装置側アクティブ電極
３１Ｐ  送電装置側パッシブ電極
３５Ａ、３５Ｐ  引き出し線
４１Ａ  受電装置側アクティブ電極
４１Ｐ  受電装置側パッシブ電極
４１Ｓ  シールド電極
４３  降圧部
４４  受電モジュール
４５Ａ、４５Ｐ  引き出し線
４６  コネクタ
４７Ａ  スプリングコネクタ
４７Ｂ  スプリングコネクタ
４８Ａ  第１接続端子
４８Ｂ  第２接続端子
５０  絶縁体シート
５１  表面シート
５２  裏面シート
５５  接着層
５１′表面シート
５２′中間シート
５３′裏面シート
５０′絶縁体シート
７０  絶縁体シート
６１  電池
６２  負荷回路
６３  コネクタ
２０３  電子機器
２０１Ｂ、３０１Ｂ、４０１Ｂ  送電部
３００、４００  ワイヤレス送受電装置
３００Ｂ、４００Ｂ  送受電部
３０７、４０７  切替部
４０８  変圧部
【図１】
2014061321.tif 000003
【図２】
2014061321.tif 000004
【図３】
2014061321.tif 000005
【図４】
2014061321.tif 000006
【図５】
2014061321.tif 000007
【図６】
2014061321.tif 000008
【図７】
2014061321.tif 000009
【図８】
2014061321.tif 000010
【図９】
2014061321.tif 000011
【図１０】
2014061321.tif 000012
【図１１】
2014061321.tif 000013
【図１２】
2014061321.tif 000014
【図１３】
2014061321.tif 000015
【図１４】
2014061321.tif 000016
【図１５】
2014061321.tif 000017
【図１６】
2014061321.tif 000018
【図１７】
2014061321.tif 000019
【図１８】
2014061321.tif 000020
【手続補正書】
【提出日】平成26年12月26日(2014.12.26)
【手続補正１】
【補正対象書類名】特許請求の範囲
【補正対象項目名】全文
【補正方法】変更
【補正の内容】
【特許請求の範囲】
【請求項１】
略同一平面上に配置されるシート状のアクティブ電極及びパッシブ電極と、
前記両電極と同一平面に配置され、前記各電極から引き出されるシート状の引き出し線と、
前記両電極及び前記両引き出し線の両面を被覆する絶縁体シートと、
を備えたシート状の電極シート部と、
前記各引き出し線の端部間に誘起される交流電圧を降圧させる降圧部と、
前記降圧部によって降圧された交流電圧を整流及び平滑する整流平滑部と、
前記整流平滑部の出力電圧を出力するためのコネクタと、
を備えた受電部と、
を含むワイヤレス受電装置。
【請求項２】
前記絶縁体シートは、前記両電極及び前記両引き出し線の一方の面を被覆する第１の絶縁体シートと、前記両電極及び前記両引き出し線の他方の面を被覆する第２の絶縁体シートとで構成され、
前記第１の絶縁体シートと前記第２の絶縁体シートとのうち、取り付け対象の電子機器側に配置されることとなる絶縁体シートの厚さが、他方の絶縁体シートよりも厚い、
請求項１記載のワイヤレス受電装置。
【請求項３】
前記絶縁体シートの主面の一方にシート状の第２の電極が設けられ、
前記第２の電極における前記絶縁体シート側とは反対側の面に第２の絶縁体シートが設けられている、
請求項１に記載のワイヤレス受電装置。
【請求項４】
前記電極シート部と前記受電部とが分離可能である、
請求項１に記載のワイヤレス受電装置。
【請求項５】
前記絶縁体シートの主面の一方に接着層が設けられている、
請求項１に記載のワイヤレス受電装置。
【請求項６】
略同一平面上に配置されるシート状のアクティブ電極及びパッシブ電極と、
前記両電極と同一平面に配置され、前記各電極から引き出されるシート状の引き出し線と、
前記両電極及び前記両引き出し線の両面を被覆する絶縁体シートと、
を備えたシート状の電極シート部と、
直流電圧を所定の周波数を有する交流電圧に変換するインバータ部と、
前記インバータ部から出力される交流電圧を昇圧させて前記各引き出し線の端部に印加する昇圧部と、
を備えた送電部と、
を含み、
前記アクティブ電極は、前記両電極が配置される平面においてほぼ中央に配置され、
前記パッシブ電極は、前記両電極が配置される平面において前記アクティブ電極の両側に配置される、
ワイヤレス送電装置。
【請求項７】
前記電極シート部と前記送電部とが分離可能である、
請求項６に記載のワイヤレス送電装置。
【請求項８】
前記絶縁体シートの主面の一方に接着層が設けられている、
請求項６に記載のワイヤレス送電装置。
【請求項９】
略同一平面上に配置されるシート状のアクティブ電極及びパッシブ電極と、
前記両電極と同一平面に配置され、前記各電極から引き出されるシート状の引き出し線と、
前記両電極及び前記両引き出し線の両面を被覆する絶縁体シートと、
を備えたシート状の電極シート部と、
前記各引き出し線の端部間に誘起される交流電圧を降圧させる降圧部と、
前記降圧部によって降圧された交流電圧を整流及び平滑する整流平滑部と、
前記整流平滑部の出力電圧を出力するためのコネクタと、
を備えた受電部と、
直流電圧を所定の周波数を有する交流電圧に変換するインバータ部と、
前記インバータ部から出力される交流電圧を昇圧させて前記各引き出し線の端部に印加する昇圧部と、
を備えた送電部と、
前記各引き出し線の端部と、前記昇圧部の出力部または前記降圧部の入力部とを択一的に接続させる切替部と、
を含むワイヤレス送受電装置。
【請求項１０】
前記電極シート部と、前記受電部、前記送電部及び前記切替部とが分離可能である、
請求項９に記載のワイヤレス送受電装置。
【請求項１１】
略同一平面状に配置されるシート状のアクティブ電極及びパッシブ電極と、
前記両電極と同一平面に配置され、前記各電極から引き出されるシート状の引き出し線と、
前記両電極及び前記両引き出し線の両面を被覆する絶縁体シートと、
を備えた電極シート部と、
前記各引き出し線の端部に高圧側が接続された変圧部と、
前記変圧部によって降圧された交流電圧を整流及び平滑する整流平滑部と、
前記整流平滑部の出力電圧を出力するためのコネクタと、
を備えた受電部と、
直流電圧を所定の周波数を有する交流電圧に変換するインバータ部を備えた送電部と、
前記変圧部の低圧側と、前記送電部のインバータ部の出力または前記受電部の前記整流平滑部の入力とを選択的に接続する切替部と、
を含むワイヤレス送受電装置。
【請求項１２】
前記電極シート部と、前記受電部、前記送電部、前記切替部、及び前記変圧部とが分離可能である、
請求項１１に記載のワイヤレス送受電装置。
【国際調査報告】
2014061321.tif 000021
2014061321.tif 000022